(57)【要約】【課題】ストッパ部材を導光板の側面に安定して接触させることができる画像表示装置を提供する。【解決手段】画像表示装置２は、表示パネル１６と、導光板２８と、導光板２８の側面２８ｂに対向して配置され、側面２８ｂの長手方向に沿って隙間５０を空けて配置された２つの基板５２と、基板５２に実装されたＬＥＤ５４と、２つの基板５２を支持し、隙間５０に沿って形成された切り欠き部４８を有する支持部４６と、ＬＥＤ５４と導光板２８の側面２８ｂとの接触を回避するためのストッパ部材４２とを備える。ストッパ部材４２は、切り欠き部４８及び隙間５０に挿通された接続部５８と、接続部５８の一端部５８ａに形成され、支持部４６を２つの基板５２に向けて押圧するベース部６０と、接続部５８の他端部５８ｂに形成され、２つの基板５２の各端部を支持部４６に向けて押圧し、且つ、導光板２８の側面２８ｂに接触するストッパ部６２とを有する。【選択図】図８
2019191408.tif 000002
【特許請求の範囲】
【請求項１】
前面に画像を表示する表示パネルと、
側面と、前記側面から入射した光を前記表示パネルの背面に向けて出射する主面と、を有する導光板と、
前記導光板の前記側面に対向して配置され、前記側面の長手方向に沿って隙間を空けて配置された第１の基板及び第２の基板と、
前記第１の基板及び前記第２の基板にそれぞれ実装され、前記導光板の前記側面に向けて光を発する第１の発光素子及び第２の発光素子と、
前記第１の基板及び前記第２の基板を支持し、前記隙間に沿って形成された切り欠き部を有する支持部材と、
前記第１の発光素子及び前記第２の発光素子と前記導光板の前記側面との接触を回避するためのストッパ部材と、を備え、
前記ストッパ部材は、
前記切り欠き部及び前記隙間に挿通された接続部と、
前記接続部の一端部に形成され、前記支持部材を前記第１の基板及び前記第２の基板に向けて押圧するベース部と、
前記接続部の他端部に形成され、前記第１の基板及び前記第２の基板の各々の端部を前記支持部材に向けて押圧し、且つ、前記導光板の前記側面に接触するストッパ部と、を有する
画像表示装置。
【請求項２】
前記ストッパ部は、前記側面の前記長手方向に対して傾斜した傾斜面を有する
請求項１に記載の画像表示装置。
【請求項３】
前記ベース部の前記側面の前記長手方向における長さは、前記ストッパ部の前記側面の前記長手方向における長さよりも長い
請求項１又は２に記載の画像表示装置。
【請求項４】
前記ベース部と前記接続部の前記一端部との境界部には、前記ベース部に弾性を付与するための第１の溝部が形成され、
前記ストッパ部と前記接続部の前記他端部との境界部には、前記ストッパ部に弾性を付与するための第２の溝部が形成されている
請求項１〜３のいずれか１項に記載の画像表示装置。
【発明の詳細な説明】
【技術分野】
【０００１】
本開示は、エッジライト型のバックライトを備えた画像表示装置に関する。
【背景技術】
【０００２】
特許文献１は、エッジライト型のバックライトを備えた画像表示装置を開示する。この種のバックライトは、導光板と、導光板の側面に対向して配置された基板と、基板上に実装された複数のＬＥＤ（Ｌｉｇｈｔ  Ｅｍｉｔｔｉｎｇ  Ｄｉｏｄｅ）とを有している。さらに、この種のバックライトは、導光板が熱膨張した際に、複数のＬＥＤが導光板の側面に接触するのを回避するためのストッパ部材を有している。ストッパ部材は、基板上から導光板の側面に向けて突出しており、導光板の側面に接触している。なお、ストッパ部材の基板上からの突出量は、ＬＥＤの基板上からの突出量よりも大きい。
【０００３】
ストッパ部材としては、実装タイプのストッパ部材と、クランプタイプのストッパ部材とが知られている。実装タイプのストッパ部材は、基板上に半田により実装されている。一方、クランプタイプのストッパ部材は、基板に形成された貫通孔に差し込まれている。
【先行技術文献】
【特許文献】
【０００４】
【特許文献１】特許第５９３３５０９号公報
【発明の概要】
【発明が解決しようとする課題】
【０００５】
本開示は、ストッパ部材を導光板の側面に安定して接触させることができる画像表示装置を提供する。
【課題を解決するための手段】
【０００６】
本開示における画像表示装置は、前面に画像を表示する表示パネルと、側面と、側面から入射した光を表示パネルの背面に向けて出射する主面と、を有する導光板と、導光板の側面に対向して配置され、側面の長手方向に沿って隙間を空けて配置された第１の基板及び第２の基板と、第１の基板及び第２の基板にそれぞれ実装され、導光板の側面に向けて光を発する第１の発光素子及び第２の発光素子と、第１の基板及び第２の基板を支持し、隙間に沿って形成された切り欠き部を有する支持部材と、第１の発光素子及び第２の発光素子と導光板の側面との接触を回避するためのストッパ部材と、を備え、ストッパ部材は、切り欠き部及び隙間に挿通された接続部と、接続部の一端部に形成され、支持部材を第１の基板及び第２の基板に向けて押圧するベース部と、接続部の他端部に形成され、第１の基板及び第２の基板の各々の端部を支持部材に向けて押圧し、且つ、導光板の側面に接触するストッパ部と、を有する。
【発明の効果】
【０００７】
本開示における画像表示装置によれば、ストッパ部材を導光板の側面に安定して接触させることができる。
【図面の簡単な説明】
【０００８】
【図１】実施の形態に係る画像表示装置の正面側を示す斜視図である。
【図２】実施の形態に係る画像表示装置の背面側を示す斜視図である。
【図３】実施の形態に係る装置本体を示す分解斜視図である。
【図４】実施の形態に係る装置本体の一部を拡大して示す図である。
【図５】図４のＶ−Ｖ線による、実施の形態に係る装置本体の断面図である。
【図６】実施の形態に係る光源ユニットを抜き出して示す斜視図である。
【図７】図４の破線の枠線で囲まれた部分を拡大して示す図である。
【図８】ベースプレートに取り付けられた状態での、実施の形態に係る光源ユニットを示す斜視図である。
【図９】図８の状態からストッパ部材を取り外した状態での、実施の形態に係る光源ユニットを示す斜視図である。
【図１０】実施の形態に係るストッパ部材を抜き出して示す斜視図である。
【発明を実施するための形態】
【０００９】
（本開示の基礎となった知見）
本発明者は、「背景技術」の欄において記載した技術に関し、以下の問題が生じることを見出した。
【００１０】
上述した実装タイプのストッパ部材では、導光板の熱膨張によりストッパ部材に過大な応力が加わった際に、クリープによりストッパ部材が基板上から剥がれるおそれが生じる。
【００１１】
一方、上述したクランプタイプのストッパ部材では、基板にストッパ部材を差し込むための貫通孔を形成する必要があり、基板の形状及びＬＥＤの配置等に制約が生じる。また、ストッパ部材は貫通孔に対して回転しやすいため、ストッパ部材を導光板の側面に安定して接触させることが難しい。
【００１２】
本開示は、このような知見に基づいてなされたものであり、本発明者が鋭意検討した結果、ストッパ部材を導光板の側面に安定して接触させることができる画像表示装置についての着想を得た。
【００１３】
以下、適宜図面を参照しながら、実施の形態を詳細に説明する。但し、必要以上に詳細な説明は省略する場合がある。例えば、既によく知られた事項の詳細説明や実質的に同一の構成に対する重複説明を省略する場合がある。これは、以下の説明が不必要に冗長になるのを避け、当業者の理解を容易にするためである。
【００１４】
なお、本発明者は、当業者が本開示を十分に理解するために添付図面及び以下の説明を提供するのであって、これらによって特許請求の範囲に記載の主題を限定することを意図するものではない。
【００１５】
（実施の形態）
以下、図１〜図１０を参照しながら、実施の形態について説明する。
【００１６】
［１．画像表示装置の全体構成］
まず、図１及び図２を参照しながら、実施の形態に係る画像表示装置２の全体構成について説明する。図１は、実施の形態に係る画像表示装置２の正面側を示す斜視図である。図２は、実施の形態に係る画像表示装置２の背面側を示す斜視図である。
【００１７】
図１及び図２に示すように、画像表示装置２は、装置本体４と、スタンド６と、支持ユニット８とを備えている。画像表示装置２は、例えば装置本体４をスタンド６に対して回動可能な回動型の液晶テレビジョン受像機である。
【００１８】
装置本体４は、画像を表示するためのものであり、ＸＺ平面視で略長方形状のパネル状に形成されている。装置本体４の前面には、画像を表示するための表示面１０が配置されている。
【００１９】
スタンド６は、装置本体４を下方から支持するためのものであり、設置面（例えば、室内の床面等）に載置される。
【００２０】
支持ユニット８は、装置本体４を回動可能に支持するためのものである。支持ユニット８は、スタンド６の上端部に固定されており、装置本体４の背面（後述するバックカバー２６）上に配置されている。これにより、装置本体４は、図１において実線で示すように表示面１０が横向きとなる横姿勢と、図１において一点鎖線で示すように表示面１０が縦向きとなる縦姿勢との間を９０°回動することができる。すなわち、図１の矢印１２で示すように、横姿勢の装置本体４を図１において時計方向に９０°回動させることにより、装置本体４は横姿勢から縦姿勢に変位する。一方、図１の矢印１４で示すように、縦姿勢の装置本体４を図１において反時計方向に９０°回動させることにより、装置本体４は縦姿勢から横姿勢に変位する。
【００２１】
ユーザは、用途等に応じて装置本体４を適宜回動させることにより、装置本体４に横姿勢及び縦姿勢のいずれかの姿勢を取らせることができる。例えば、ユーザは、テレビ番組等を視聴する際には、装置本体４を横姿勢にさせる。また例えば、ユーザは、スマートフォン等に表示されている画面を表示面１０に表示させる際には、装置本体４を縦姿勢にさせる。
【００２２】
［２．装置本体の構成］
次に、図１〜図５を参照しながら、装置本体４の構成について説明する。図３は、実施の形態に係る装置本体４を示す分解斜視図である。図４は、実施の形態に係る装置本体４の一部を拡大して示す図である。図５は、図４のＶ−Ｖ線による、実施の形態に係る装置本体４の断面図である。
【００２３】
図１〜図３に示すように、装置本体４は、表示パネル１６と、モールドフレーム１８と、ベゼル２０と、バックライト２２と、ベースプレート２４と、バックカバー２６とを有している。なお、説明の都合上、図３では、バックカバー２６の図示を省略してある。
【００２４】
図１、図３及び図５に示すように、表示パネル１６は、複数のガラス板の間に液晶が封入された、いわゆる液晶セルである。表示パネル１６は、ＸＺ平面視で略長方形状のパネル状に形成されている。表示パネル１６の前面には、画像を表示するための表示面１０が形成されている。
【００２５】
図３及び図５に示すように、モールドフレーム１８は、表示パネル１６の外周部を支持するための略長方形状の枠体である。モールドフレーム１８は、ベースプレート２４の外周部に取り付けられている。
【００２６】
図１、図３及び図５に示すように、ベゼル２０は、表示パネル１６の外周部を保護するための略長方形状の枠体である。図５に示すように、ベゼル２０は、モールドフレーム１８の外周部を覆うように配置され、モールドフレーム１８との間で表示パネル１６の外周部を挟持する。
【００２７】
図３〜図５に示すように、バックライト２２は、エッジライト型のバックライトであり、表示パネル１６の背面（表示面１０と反対側の面）に向けて光を照射する。バックライト２２は、導光板２８と、光源ユニット３０と、反射シート３２と、光学シート群３４とを有している。また、説明の都合上、図４では、表示パネル１６、光学シート群３４、モールドフレーム１８及びベゼル２０の図示を省略してある。
【００２８】
導光板２８は、ＸＺ平面視で略長方形状の板状に形成されている。導光板２８は、例えばアクリル樹脂の押出成形により形成される。図５に示すように、導光板２８は、光源ユニット３０の放熱板３８（後述する）を介して、ベースプレート２４の前面（表示パネル１６側の面）に支持されている。導光板２８の主面２８ａは、表示パネル１６の背面に対向して配置されている。また、導光板２８の下端部（画像表示装置２を設置した際の下端部）における側面２８ｂは、Ｘ軸方向に長尺状に延びており、光源ユニット３０の複数のＬＥＤ５４（後述する）に対向して配置されている。
【００２９】
光源ユニット３０は、導光板２８の側面２８ｂに向けて光を発するためのユニットである。図３〜図５に示すように、光源ユニット３０は、ベースプレート２４の前面における下端部に取り付けられ、導光板２８の側面２８ｂの長手方向（Ｘ軸方向）に沿って配置されている。光源ユニット３０の具体的な構成については後述する。
【００３０】
図３及び図５に示すように、反射シート３２は、導光板２８の裏面２８ｃ（主面２８ａと反対側の面）を覆うように配置されている。反射シート３２は、導光板２８の側面２８ｂに入射した光を、導光板２８の主面２８ａに向けて反射する。反射シート３２で反射した光は、導光板２８の主面２８ａから出射して、表示パネル１６の背面に入射する。
【００３１】
光学シート群３４は、光学的特性の異なる複数の光学シートを含んでいる。図３及び図５に示すように、光学シート群３４は、導光板２８の主面２８ａを覆うように配置されている。複数の光学シートは、相互に重ね合わされており、例えば拡散シート、プリズムシート及び反射型偏光シートを含んでいる。拡散シートは、導光板２８の主面２８ａから出射した光を拡散するための光学シートである。プリズムシートは、拡散シートから出射した光を集光するためのプリズムシートである。反射型偏光シートは、プリズムシートから出射した光を偏光させるための光学シートであり、例えば住友スリーエム株式会社製のＤＢＥＦ（登録商標）（Ｄｕａｌ  Ｂｒｉｇｈｔｎｅｓｓ  Ｅｎｈａｎｃｅｍｅｎｔ  Ｆｉｌｍ）シートである。
【００３２】
ベースプレート２４は、バックライト２２等を支持するための部材であり、下フレームとも称される。図３に示すように、ベースプレート２４は、ＸＺ平面視で略長方形状に形成されており、例えば鋼板等の板金をプレス加工することにより形成されている。
【００３３】
図２に示すように、バックカバー２６は、ベースプレート２４の背面を覆うように配置されている。図示しないが、バックカバー２６の外周部は、ベゼル２０と連結されている。
【００３４】
［３．光源ユニットの構成］
次に、図４〜図１０を参照しながら、光源ユニット３０の構成について説明する。図６は、実施の形態に係る光源ユニット３０を抜き出して示す斜視図である。図７は、図４の破線の枠線３６で囲まれた部分を拡大して示す図である。図８は、ベースプレート２４に取り付けられた状態での、実施の形態に係る光源ユニット３０を示す斜視図である。図９は、図８の状態からストッパ部材４２を取り外した状態での、実施の形態に係る光源ユニット３０を示す斜視図である。図１０は、実施の形態に係るストッパ部材４２を抜き出して示す斜視図である。
【００３５】
図４〜図６に示すように、光源ユニット３０は、放熱板３８と、複数のＬＥＤバー４０と、複数のストッパ部材４２とを有している。本実施の形態では、ＬＥＤバー４０は４つ設けられ、ストッパ部材４２は３つ設けられている。
【００３６】
放熱板３８は、複数のＬＥＤバー４０を支持し、且つ、複数のＬＥＤバー４０からの熱を放熱するための部材である。放熱板３８は、熱伝導性の高い金属、例えばアルミニウム等で形成されている。図４に示すように、放熱板３８は、導光板２８の側面２８ｂの長手方向に沿って長尺状に延びている。図５及び図６に示すように、放熱板３８は、放熱部４４と、支持部４６（支持部材の一例）とを有している。放熱部４４は、ベースプレート２４の前面における下端部に取り付けられている。支持部４６は、放熱部４４の下端部から表示パネル１６側に向けて略垂直に延び、導光板２８の側面２８ｂの長手方向に沿って配置されている。複数のＬＥＤバー４０からの熱は、支持部４６及び放熱部４４を介してベースプレート２４に伝達され、ベースプレート２４から空気中に放熱される。
【００３７】
また、図７及び図９に示すように、支持部４６には、複数の切り欠き部４８が形成されている。複数の切り欠き部４８は、隣り合う２つのＬＥＤバー４０の各基板５２（第１の基板及び第２の基板の一例）（後述する）の間の隙間５０に対応して配置され、支持部４６の先端部から上記隙間５０に沿って延びている。
【００３８】
複数のＬＥＤバー４０の各々は、光を発するための光源である。複数のＬＥＤバー４０の各々は、基板５２と、複数のＬＥＤ５４（発光素子の一例）とを有している。
【００３９】
図４に示すように、基板５２は、導光板２８の側面２８ｂの長手方向に沿って長尺状に延びるプリント配線基板である。基板５２は、熱伝導性の高い金属、例えばアルミニウム等で形成されている。図５に示すように、基板５２は、例えば熱伝導性を有する両面粘着テープ５６を介して放熱板３８の支持部４６に支持され、導光板２８の側面２８ｂに対向して配置されている。すなわち、図７及び図９に示すように、隣り合う２つのＬＥＤバー４０の各基板５２は、導光板２８の側面２８ｂの長手方向に沿って、隙間５０を空けて配置されている。
【００４０】
複数のＬＥＤ５４は、基板５２の実装面に実装されている。複数のＬＥＤ５４の各々は、例えばチップ型のＬＥＤである。複数のＬＥＤ５４は、基板５２の長手方向（Ｘ軸方向）に沿って一列に、且つ、間隔を置いて配置されている。複数のＬＥＤ５４の各々からの光は、導光板２８の側面２８ｂに入射する。
【００４１】
ストッパ部材４２は、複数のＬＥＤ５４の各々と導光板２８の側面２８ｂとの接触を回避するための部材である。図９及び図１０に示すように、ストッパ部材４２は、接続部５８と、ベース部６０と、ストッパ部６２とを有している。ストッパ部材４２は、例えば樹脂で形成されている。
【００４２】
図９及び図１０に示すように、接続部５８は、ベース部６０とストッパ部６２とを相互に接続する。接続部５８の一端部５８ａはベース部６０に接続され、接続部５８の他端部５８ｂはストッパ部６２に接続されている。図７〜図９に示すように、接続部５８は、支持部４６の切り欠き部４８、及び、隣り合う２つの基板５２の間の隙間５０に着脱可能に挿通されている。
【００４３】
図９及び図１０に示すように、ベース部６０は、長尺状のプレート状に形成されている。ベース部６０の長手方向（Ｘ軸方向）における中央部には、接続部５８の一端部５８ａが接続されている。ベース部６０と接続部５８の一端部５８ａとの境界部には、ベース部６０に弾性を付与するための一対の溝部６４（第１の溝部の一例）が形成されている。これらの一対の溝部６４により、ベース部６０は、長さ方向（Ｘ軸方向）に弾性的に撓むことができる。図７及び図８に示すように、ベース部６０は、導光板２８の側面２８ｂの長手方向に沿って長尺状に延び、放熱板３８の支持部４６を隣り合う２つの基板５２に向けて弾性的に押圧する。
【００４４】
図９及び図１０に示すように、ストッパ部６２は、プレート状に形成されている。ストッパ部６２の裏面（ベース部６０に対向する側の面）には、接続部５８の他端部５８ｂが接続されている。ストッパ部６２と接続部５８の他端部５８ｂとの境界部には、ストッパ部６２に弾性を付与するための一対の溝部６６（第２の溝部の一例）が形成されている。これらの一対の溝部６６により、ストッパ部６２は、長さ方向（Ｘ軸方向）に弾性的に撓むことができる。図７及び図９に示すように、ストッパ部６２の表面（ベース部６０と反対側の面）には、平坦面６８と、平坦面６８の両側に配置された一対の傾斜面７０とが形成されている。平坦面６８は、導光板２８の側面２８ｂに対して略平行であり、一対の傾斜面７０の各々は、導光板２８の側面２８ｂの長手方向に対して傾斜している。なお、一対の傾斜面７０の各々は、平面であってもよく、あるいは、曲面（凸面又は凹面）であってもよい。また、図７に示すように、ベース部６０の長さＬ１（導光板２８の側面２８ｂの長手方向における長さ）は、ストッパ部６２の長さＬ２（導光板２８の側面２８ｂの長手方向における長さ）よりも長い。
【００４５】
図７及び図８に示すように、ストッパ部６２は、隣り合う２つの基板５２の各々の端部に実装されたＬＥＤ５４（第１の発光素子及び第２の発光素子の一例）の間に配置されている。ストッパ部６２は、隣り合う２つの基板５２の各々の端部を放熱板３８の支持部４６に向けて弾性的に押圧する。この時、ストッパ部６２の平坦面６８は、導光板２８の側面２８ｂに接触している。すなわち、ストッパ部６２の基板５２の実装面からの突出量（例えば、約１ｍｍ）は、ＬＥＤ５４の基板５２の実装面からの突出量（例えば、約０．６ｍｍ）よりも大きい。そのため、導光板２８が熱膨張した場合であっても、複数のＬＥＤ５４の各々が導光板２８の側面２８ｂに接触するのを回避することができる。
【００４６】
図８及び図９に示すように、ストッパ部材４２を取り付ける際には、ストッパ部材４２の接続部５８を、支持部４６の切り欠き部４８、及び、隣り合う２つの基板５２の間の隙間５０に側方から差し込めばよい。この時、図７に示すように、ベース部６０とストッパ部６２との間の距離Ｄは、基板５２、両面粘着テープ５６及び支持部４６の各厚みの合計と略同一である。そのため、ベース部６０及びストッパ部６２は、基板５２及び支持部４６を厚み方向（Ｚ軸方向）から弾性的に挟み込むようになる。
【００４７】
［４．効果］
本実施の形態では、画像表示装置２は、前面に画像を表示する表示パネル１６と、側面２８ｂと側面２８ｂから入射した光を表示パネル１６の背面に向けて出射する主面２８ａとを有する導光板２８と、導光板２８の側面２８ｂに対向して配置され、側面２８ｂの長手方向に沿って隙間５０を空けて配置された２つの基板５２と、２つの基板５２にそれぞれ実装され、導光板２８の側面２８ｂに向けて光を発するＬＥＤ５４と、２つの基板５２を支持し、隙間５０に沿って形成された切り欠き部４８を有する支持部４６と、ＬＥＤ５４と導光板２８の側面２８ｂとの接触を回避するためのストッパ部材４２とを備える。ストッパ部材４２は、切り欠き部４８及び隙間５０に挿通された接続部５８と、接続部５８の一端部５８ａに形成され、支持部４６を２つの基板５２に向けて押圧するベース部６０と、接続部５８の他端部５８ｂに形成され、２つの基板５２の各々の端部を支持部４６に向けて押圧し、且つ、導光板２８の側面２８ｂに接触するストッパ部６２とを有する。
【００４８】
これにより、２つの基板５２の間の隙間５０を利用してストッパ部材４２を取り付けるので、例えば基板５２にストッパ部材４２を差し込むための貫通孔を形成する必要が無く、基板５２の形状及びＬＥＤ５４の配置等の自由度を高めることができる。また、ベース部６０及びストッパ部６２は、基板５２及び支持部４６を両側から挟み込むので、ストッパ部材４２を基板５２及び支持部４６に対して安定して取り付けることができる。その結果、ストッパ部材４２を導光板２８の側面２８ｂに安定して接触させることができる。
【００４９】
また、本実施の形態において、ストッパ部６２は、側面２８ｂの長手方向に対して傾斜した傾斜面７０を有する。
【００５０】
これにより、図７に示すように、ストッパ部６２は傾斜面７０を有しているので、基板５２の端部に実装されたＬＥＤ５４からの光がストッパ部６２により遮られるのを抑制することができる。その結果、ＬＥＤ５４の光利用効率を高めることができる。
【００５１】
また、本実施の形態において、ベース部６０の側面２８ｂの長手方向における長さＬ１は、ストッパ部６２の側面２８ｂの長手方向における長さＬ２よりも長い。
【００５２】
これにより、ベース部６０と支持部４６との接触面積を大きく確保することができるので、ストッパ部材４２を基板５２及び支持部４６に対してより一層安定して取り付けることができる。
【００５３】
また、本実施の形態において、ベース部６０と接続部５８の一端部５８ａとの境界部には、ベース部６０に弾性を付与するための溝部６４が形成されている。ストッパ部６２と接続部５８の他端部５８ｂとの境界部には、ストッパ部６２に弾性を付与するための溝部６６が形成されている。
【００５４】
これにより、ベース部６０及びストッパ部６２により基板５２及び支持部４６を両側から弾性的に挟み込むことができる。
【００５５】
（変形例等）
以上のように、本出願において開示する技術の例示として、実施の形態を説明した。しかしながら、本開示における技術は、これに限定されず、適宜、変更、置き換え、付加、省略などを行った実施の形態にも適用可能である。また、上記実施の形態で説明した各構成要素を組み合わせて、新たな実施の形態とすることも可能である。
【００５６】
そこで、以下、他の実施の形態を例示する。
【００５７】
上記実施の形態では、画像表示装置２を液晶テレビジョン受像機で構成したが、これに限定されず、例えばパーソナルコンピュータ用の液晶モニタ等で構成してもよい。
【００５８】
また、上記実施の形態では、画像表示装置２を回動型の液晶テレビジョン受像機で構成したが、これに限定されず、装置本体４がスタンド６に対して回動しないタイプの液晶テレビジョン受像機で構成してもよい。
【００５９】
また、上記実施の形態では、複数のＬＥＤバー４０を、横姿勢の時に下部に位置する導光板２８の側面２８ｂに沿って、Ｘ軸方向に複数配置した構成について説明したが、これに限定されず、例えば、横姿勢の時に、上部に位置する導光板２８の側面に沿って配置してもよく、左側及び／又は右側に位置する導光板２８の側面に沿って配置してもよい。
【００６０】
また、上記実施の形態では、光学的特性の異なる複数の光学シートを含む光学シート群３４を用いる構成について説明したが、これに限定されず、例えば光学的特性の異なる複数の光学シートを貼り合わせて構成された１枚の複合光学シートを用いてもよい。
【００６１】
以上のように、本開示における技術の例示として、実施の形態を説明した。そのために、添付図面及び詳細な説明を提供した。
【００６２】
したがって、添付図面及び詳細な説明に記載された構成要素の中には、課題解決のために必須な構成要素だけでなく、上記技術を例示するために、課題解決のためには必須でない構成要素も含まれ得る。そのため、それらの必須ではない構成要素が添付図面や詳細な説明に記載されていることをもって、直ちに、それらの必須ではない構成要素が必須であるとの認定をするべきではない。
【００６３】
また、上述の実施の形態は、本開示における技術を例示するためのものであるから、特許請求の範囲又はその均等の範囲において種々の変更、置き換え、付加、省略などを行うことができる。
【産業上の利用可能性】
【００６４】
本開示の画像表示装置は、例えばエッジライト型のバックライトを備えた液晶テレビジョン受像機等に適用可能である。
【符号の説明】
【００６５】
２  画像表示装置
４  装置本体
６  スタンド
８  支持ユニット
１０  表示面
１２，１４  矢印
１６  表示パネル
１８  モールドフレーム
２０  ベゼル
２２  バックライト
２４  ベースプレート
２６  バックカバー
２８  導光板
２８ａ  主面
２８ｂ  側面
２８ｃ  裏面
３０  光源ユニット
３２  反射シート
３４  光学シート群
３６  枠線
３８  放熱板
４０  ＬＥＤバー
４２  ストッパ部材
４４  放熱部
４６  支持部
４８  切り欠き部
５０  隙間
５２  基板
５４  ＬＥＤ
５６  両面粘着テープ
５８  接続部
５８ａ  一端部
５８ｂ  他端部
６０  ベース部
６２  ストッパ部
６４，６６  溝部
６８  平坦面
７０  傾斜面
【図１】
2019191408.tif 000003
【図２】
2019191408.tif 000004
【図３】
2019191408.tif 000005
【図４】
2019191408.tif 000006
【図５】
2019191408.tif 000007
【図６】
2019191408.tif 000008
【図７】
2019191408.tif 000009
【図８】
2019191408.tif 000010
【図９】
2019191408.tif 000011
【図１０】
2019191408.tif 000012